(57)【特許請求の範囲】
【請求項１】
電池ケースの内圧が閾値まで上昇したときに開放する開放弁を前記電池ケースの壁部に有するとともに、複数並設される二次電池と、
前記開放弁が設けられた前記壁部と対向して設けられる電池カバーと、を備え、
前記電池カバーは、前記複数の二次電池の並設方向に並んで設けられる複数のカバーを有し、
前記複数のカバーのうち、少なくとも隣り合う一組のカバーは、対向する縁部同士が重なり合うことを特徴とする電池モジュール。
【請求項２】
前記隣り合う一組のカバーのうち、一方のカバーにおける他方のカバーと対向する縁部には、前記開放弁が設けられた壁部と対向する第１面とは反対側の第２面から前記第１面に向けて凹む第１の薄肉部が設けられ、
前記他方のカバーにおける前記一方のカバーと対向する縁部には、前記開放弁が設けられた壁部と対向する第３面から前記第３面とは反対側の第４面に向けて凹む第２の薄肉部が設けられ、
前記第１の薄肉部と前記第２の薄肉部とが重なり合うことを特徴とする請求項１に記載の電池モジュール。
【請求項３】
前記電池カバーは、前記二次電池を保持する電池ホルダに固定されることを特徴とする請求項１又は請求項２に記載の電池モジュール。
【請求項４】
前記電池カバーには、前記開放弁が設けられる壁部と対向する面から前記開放弁が設けられる壁部に向けて突出する一対の仕切部が設けられ、
前記開放弁が設けられる壁部、前記電池カバーの前記開放弁が設けられる壁部と対向する面及び前記仕切部は、ガス抜き用の流路を区画することを特徴とする請求項１〜請求項３のうちいずれか一項に記載の電池モジュール。
【請求項５】
隣り合う前記二次電池は、バスバーによって接続され、
前記電池カバーの前記開放弁が設けられた壁部と対向する対向面には、前記対向面から前記開放弁が設けられる壁部に向けて突出する突起部が設けられ、
前記突起部は、隣接するバスバー間に設けられることを特徴とする請求項１〜請求項４のうちいずれか一項に記載の電池モジュール。
【請求項６】
前記電池カバーの前記開放弁が設けられた壁部と対向する対向面とは反対側の面上には、前記二次電池の制御を行う制御機器が設けられることを特徴とする請求項１〜請求項５のうちいずれか一項に記載の電池モジュール。
【発明の詳細な説明】
【技術分野】
【０００１】
本発明は、開放弁を有する二次電池を並設した電池モジュールに関する。
【背景技術】
【０００２】
複数の二次電池を備える電池モジュールとしては、例えば、特許文献１に記載の電池モジュールが知られている。特許文献１に記載の電池モジュールは、ハウジングの内部に複数の二次電池が収容されている。二次電池には、設定された圧力で開放されうる排気部材が設置されている。
【先行技術文献】
【特許文献】
【０００３】
【特許文献１】特開２０１２−１０４４７１号公報
【発明の概要】
【発明が解決しようとする課題】
【０００４】
ところで、二次電池の内部の圧力が設定された圧力に達して、排気部材が開放されると、二次電池から内容物（例えば、リチウムイオン二次電池であれば、主に電解液の溶媒や、リチウム塩が分解あるいは気化したガス）などが排出物として排出されることがある。
【０００５】
本発明は、このような従来技術の問題点に鑑みてなされたものであり、その目的は、排出物の飛散を抑止することができる電池モジュールを提供することにある。
【課題を解決するための手段】
【０００６】
上記課題を解決する電池モジュールは、電池ケースの内圧が閾値まで上昇したときに開放する開放弁を前記電池ケースの壁部に有するとともに、複数並設される二次電池と、前記開放弁が設けられた前記壁部と対向して設けられる電池カバーと、を備え、前記電池カバーは、前記複数の二次電池の並設方向に並んで設けられる複数のカバーを有し、前記複数のカバーのうち、少なくとも隣り合う一組のカバーは、対向する縁部同士が重なり合うことを要旨とする。
【０００７】
これによれば、二次電池の電池ケースの内圧が閾値まで上昇して、開放弁から排出物が排出されると、電池カバーによって排出物の飛散が抑止される。また、製造上の誤差などによって、電池モジュールにおける二次電池の並設方向の寸法に若干の誤差が生じたとしても、一組のカバーの重なり量を調整することで、電池カバーにおけるに二次電池の並設方向への寸法を調整することができる。したがって、電池カバーに隙間が生じにくく、二次電池から排出された排出物の飛散を適切に抑止することができる。
【０００８】
上記電池モジュールについて、前記隣り合う一組のカバーのうち、一方のカバーにおける他方のカバーと対向する縁部には、前記開放弁が設けられた壁部と対向する第１面とは反対側の第２面から前記第１面に向けて凹む第１の薄肉部が設けられ、前記他方のカバーにおける前記一方のカバーと対向する縁部には、前記開放弁が設けられた壁部と対向する第３面から前記第３面とは反対側の第４面に向けて凹む第２の薄肉部が設けられ、前記第１の薄肉部と前記第２の薄肉部とが重なり合うことが好ましい。
【０００９】
これによれば、第１の薄肉部と第２の薄肉部が重なり合うことで、電池カバー全体の起伏が少なくなる。このため、電池カバーの組み付け性が向上される。
上記電池モジュールについて、前記電池カバーは、前記二次電池を保持する電池ホルダに固定されることが好ましい。
【００１０】
これによれば、電池カバーは電池ホルダに固定されるため、耐振動性が向上される。
上記電池モジュールについて、前記電池カバーには、前記開放弁が設けられる壁部と対向する面から前記開放弁が設けられる壁部に向けて突出する一対の仕切部が設けられ、前記開放弁が設けられる壁部、前記電池カバーの前記開放弁が設けられる壁部と対向する面及び前記仕切部は、ガス抜き用の流路を区画することが好ましい。
【００１１】
これによれば、電池カバーによってガス抜き用の流路が区画されるため、二次電池から排出された気体状の排出物は、この流路を流通して適切に排出される。
上記電池モジュールについて、隣り合う前記二次電池は、バスバーによって接続され、前記電池カバーの前記開放弁が設けられた壁部と対向する対向面には、前記対向面から前記開放弁が設けられる壁部に向けて突出する突起部が設けられ、前記突起部は、隣接するバスバー間に設けられることが好ましい。
【００１２】
これによれば、隣り合うバスバー間の絶縁性が、突起部によって維持される。このため、開放弁から導電性の排出物が排出されたとしても、二次電池同士が短絡しにくい。
上記電池モジュールについて、前記電池カバーの前記開放弁が設けられた壁部と対向する対向面とは反対側の面上には、前記二次電池の制御を行う制御機器が設けられることが好ましい。
【００１３】
これによれば、電池カバーに、制御機器を設けることができる。
【発明の効果】
【００１４】
本発明によれば、排出物の飛散を抑止することができる。
【図面の簡単な説明】
【００１５】
【図１】実施形態の電池パックを示す斜視図。
【図２】実施形態の電池モジュールを示す斜視図。
【図３】電池カバーを省略した状態で示す電池モジュールの平面図。
【図４】実施形態の電池モジュールを示す図３の４−４線断面図。
【図５】実施形態の角型電池、電池ホルダ及び伝熱プレートの関係を示す斜視図。
【図６】電池モジュールの一部を拡大して示す断面図。
【図７】（ａ）及び（ｂ）は、第１のカバーを示す斜視図。
【図８】（ａ）及び（ｂ）は、第２のカバーを示す斜視図。
【発明を実施するための形態】
【００１６】
以下、電池モジュールの一実施形態について説明する。
図１に示すように、電池パック１０は、筐体１１の内部に電池モジュール２０が収容されている。電池モジュール２０は、鉛直方向に３個積層配置された電池列が２組設けられている。
【００１７】
図２及び図３に示すように、電池モジュール２０は、二次電池としての角型電池２１が、電池ホルダ３０に保持された状態で角型電池２１の厚み方向に並列されるとともに、角型電池２１と交互に伝熱プレート４０（図６参照）が並設されている。角型電池２１は、隣り合う角型電池２１の正極端子２２と負極端子２３が隣り合うように並設されている。隣り合う角型電池２１の正極端子２２と負極端子２３は、バスバー１２によって接続され、これにより複数の角型電池２１は直列接続されている。
【００１８】
角型電池２１の並設方向の両端には、板状のエンドプレート１３，１４が設けられている。エンドプレート１３には、ボルトＢが挿通されるとともに、このボルトＢがエンドプレート１４側でナットＮに螺合されている。角型電池２１及び伝熱プレート４０は、エンドプレート１３，１４によって挟持されて、角型電池２１の並設方向から加圧されている。エンドプレート１３，１４には、筐体１１に電池モジュール２０を固定するためのブラケット１５が設けられている。
【００１９】
電池モジュール２０において、角型電池２１の高さ方向の一方（角型電池２１における正極端子２２及び負極端子２３が突出している側）には、電池カバー５０が設けられている。電池カバー５０は、角型電池２１の並設方向に隣り合う一組のカバーとしての第１のカバー６０と第２のカバー７０とからなる。電池カバー５０上には、角型電池２１を制御する制御機器５１（制御回路）が載置されるとともに、この制御機器５１は制御機器用カバー５２によって覆われている。電池カバー５０上には、制御機器５１に隣り合って、角型電池２１の充放電に寄与する電子部品５３が載置されるとともに、この電子部品５３は電子部品用カバー５４によって覆われている。
【００２０】
図４に示すように、角型電池２１は、電池ケース２４に電極組立体２５が収容されている。電池ケース２４は、電極組立体２５を収容する有底矩形箱状の本体部２６と、本体部２６の開口部を閉塞する矩形板状の蓋部２７とから構成されている。蓋部２７には、正極端子２２及び負極端子２３が設けられている。蓋部２７には、電池ケース２４の内圧が閾値まで上昇したときに、破断して開放される開放弁２８が設けられている。この「閾値」は、電池ケース２４の内圧が高まったときに、電池ケース２４の内圧によって電池ケース２４が破損する前に開放弁２８が破断するような圧力に設定される。電極組立体２５は、複数の正負の電極を積層してなる。正極端子２２及び負極端子２３は、正極導電部材２２ａ及び負極導電部材２３ａを介して電極組立体２５に電気的に接続されている。
【００２１】
図５に示すように、電池ホルダ３０は、矩形平板状の第１の被覆部３１を有している。第１の被覆部３１の長手方向両端には、第１の被覆部３１の厚み方向に延設された矩形平板状の第２の被覆部３２が設けられている。各第２の被覆部３２の長手方向第１端部３２ａ（第１の被覆部３１が設けられる端部とは反対側の端部）には、各第２の被覆部３２の短手方向第１端部３２ｂの間で延びる矩形平板状の第３の被覆部３３が設けられている。第３の被覆部３３は、厚み方向が第２の被覆部３２の短手方向と一致し、長手方向が、各第２の被覆部３２同士の対向方向に一致する。そして、第３の被覆部３３の厚み方向及び長手方向に直交する方向が、第３の被覆部３３の短手方向となる。
【００２２】
また、第３の被覆部３３の長手方向両端における第３の被覆部３３の短手方向の一端面上には、Ｕ字状をなすとともに、第３の被覆部３３の厚み方向に開口する端子収容部３４がそれぞれ設けられており、各端子収容部３４は各第２の被覆部３２に連設されている。
【００２３】
各端子収容部３４において、第３の被覆部３３と接合される面と反対側の面からは、電池カバー５０を支持する板状のカバー支持部３４ａが突設されている。このカバー支持部３４ａには、切欠３４ｂが設けられている。
【００２４】
第３の被覆部３３の短手方向の一端面上には、端子収容部３４と隣り合って四角柱状の柱部材３５が柱部材３５の軸が第２の被覆部３２の短手方向に延びるように設けられている。柱部材３５には、ボルトＢが挿通される挿通孔３５ａが柱部材３５の軸方向に貫通して設けられている。
【００２５】
第２の被覆部３２の長手方向第１端部３２ａには、第２の被覆部３２と連設され、第２の被覆部３２の長手方向に延びる矩形平板状のカバー保持部３６が設けられている。カバー保持部３６には、電池カバー５０が係止される係止爪３７が設けられている。また、第２の被覆部３２の長手方向第２端部３２ｃには、四角柱状の脚部３８が脚部３８の軸が第２の被覆部３２の短手方向に延びるように設けられている。脚部３８には、ボルトＢが挿通される挿通孔３８ａが脚部３８の軸方向に貫通して設けられている。
【００２６】
伝熱プレート４０は、矩形平板状をなすとともに、角型電池２１に挟まれる本体４１と、本体４１の長手方向一端から本体４１の厚み方向に延びる放熱部４２とからなる。
図７（ａ）及び（ｂ）に示すように、第１のカバー６０は、矩形板状の第１の本体部６１と、第１の本体部６１の短手方向両端から、第１の本体部６１の厚み方向に延設された矩形板状の第１の延設部６２とを有している。第１の本体部６１と、第１の延設部６２は、長手方向が同一方向となっている。第１の本体部６１の短手方向は、第１の延設部６２の厚み方向に延び、第１の延設部６２の短手方向は、第１の本体部６１の厚み方向に延びる。以下の説明において、第１の本体部６１の第１の延設部６２が設けられる面を第１の内面６４とし、第１の内面６４とは反対側の面を第１の外面６３とする。
【００２７】
第１の本体部６１の長手方向第１端部６１ａ側には、第１面としての第１の外面６３（第１の延設部６２が設けられる面とは反対側の面）とは反対側の第２面としての第１の内面６４から第１の外面６３に向けて凹む第１の薄肉部６５が設けられている。第１の薄肉部６５には、第１の本体部６１の長手方向に延びる一対のスリット６５ａが設けられている。第１の延設部６２の長手方向第１端部６２ａ（第１の本体部６１の長手方向第１端部６１ａと同一方向）には、第１の延設部６２の厚み方向に凹み、第１の薄肉部６５と連設される薄肉部６６が設けられている。
【００２８】
第１の本体部６１の長手方向第２端部６１ｂには、第１の外面６３から突出する直方体状のボルト締結部６７が一対突設されている。ボルト締結部６７には、第１の本体部６１の長手方向に延びる挿通孔６７ａが設けられている。挿通孔６７ａにはボルトＢが挿通される。このボルト締結部６７は、電池ホルダ３０の柱部材３５と対向して設けられ、ボルト締結部６７の挿通孔６７ａと電池ホルダ３０の挿通孔３５ａとが連通する。第１の外面６３には、ボルト締結部６７から第１の薄肉部６５に設けられたスリット６５ａまで延びる第１の仕切板６８が設けられている。第１の仕切板６８は、矩形平板状をなしている。また、第１の本体部６１の第１の外面６３には、第１の外面６３の短手方向第１端部６１ｃ側及び第１の外面６３の短手方向第２端部６１ｄ側のそれぞれに、第１の外面６３から突出する突起部６９が間隔をあけて設けられている。突起部６９は、短手方向第１端部６１ｃ側と、短手方向第２端部６１ｄ側とが対向位置に配置されないよう互い違いに設けられている。すなわち、短手方向第１端部６１ｃ側の突起部６９と、短手方向第２端部６１ｄ側の突起部６９とが、第１の本体部６１の短手方向に対向しないように設けられている。
【００２９】
第２のカバー７０は、薄肉部の形状を除いて第１のカバー６０と同一の形状をなしている。以下、具体的に説明を行う。
図８（ａ）及び（ｂ）に示すように、第２のカバー７０は、矩形板状の第２の本体部７１と、第２の本体部７１の短手方向両端から、第２の本体部７１の厚み方向に延設された矩形板状の第２の延設部７２とを有している。第２の本体部７１と、第２の延設部７２は、長手方向が同一方向となっている。第２の本体部７１の短手方向は、第２の延設部７２の厚み方向に延び、第２の延設部７２の短手方向は、第２の本体部７１の厚み方向に延びる。以下の説明において、第２の本体部７１の第２の延設部７２が設けられる面を第２の内面７４とし、第２の内面７４とは反対側の面を第２の外面７３とする。
【００３０】
第２の本体部７１の長手方向第１端部７１ａ側には、第３面としての第２の外面７３（第２の延設部７２が設けられる面とは反対側の面）から第２の外面７３とは反対側の第４面としての第２の内面７４に向けて凹む第２の薄肉部７５が設けられている。第２の薄肉部７５には、第２の本体部７１の長手方向に延びる一対の板部７５ａが第２の外面７３から突出して設けられている。この板部７５ａは、第１の薄肉部６５のスリット６５ａに挿入される。第２の延設部７２の長手方向第１端部７２ａ（第２の本体部７１の長手方向第１端部７１ａと同一方向）には、第２の延設部７２の厚み方向に凹み、第２の薄肉部７５と連設される薄肉部７６が設けられている。
【００３１】
第２の本体部７１の長手方向第２端部７１ｂには、第２の外面７３から突出する直方体状のボルト締結部７７が一対突設されている。ボルト締結部７７には、第２の本体部７１の長手方向に延びる挿通孔７７ａが設けられている。挿通孔７７ａには、ボルトＢが挿通される。このボルト締結部７７には、ボルト締結部７７から第２の薄肉部７５に設けられた板部７５ａまで延びる第２の仕切板７８が設けられている。第２の仕切板７８は、矩形平板状をなしている。また、第２の本体部７１の第２の外面７３には、第２の外面７３の短手方向第１端部７１ｃ側及び第２の外面７３の短手方向第２端部７１ｄ側のそれぞれに、第２の外面７３から突出する突起部７９が間隔をあけて設けられている。突起部７９は、短手方向第１端部７１ｃ側と、短手方向第２端部７１ｄ側とが対向位置に配置されないよう互い違いに設けられている。すなわち、短手方向第１端部７１ｃ側の突起部７９と、短手方向第２端部７１ｄ側の突起部７９とが、第２の本体部７１の短手方向に対向しないように設けられている。
【００３２】
図６に示すように、電池カバー５０は、一方のカバーとしての第１のカバー６０の長手方向第１端部６１ａに設けられた第１の薄肉部６５に、他方のカバーとしての第２のカバー７０の長手方向第１端部７１ａに設けられた第２の薄肉部７５が鉛直方向に重ね合わされることで構成されている。すなわち、第１のカバー６０の第２のカバー７０と対向する縁部とは、第１のカバー６０の長手方向第１端部６１ａ側の縁部となる。また、第２のカバー７０の第１のカバー６０の対向する縁部とは、第２のカバー７０の長手方向第１端部７１ａ側の縁部となる。
【００３３】
第１のカバー６０は、第１の外面６３が、蓋部２７、すなわち、電池ケース２４の開放弁２８が設けられた壁部に対向する。同様に、第２のカバー７０は、第２の外面７３が蓋部２７に対向する。したがって、電池カバー５０の蓋部２７と対向する対向面は、第１の外面６３（第１面）及び第２の外面７３（第３面）となる。電池カバー５０は、電池ホルダ３０上（カバー支持部３４ａ及び柱部材３５上）に載置されている。第１の延設部６２及び第２の延設部７２の先端（第１の延設部６２及び第２の延設部７２における第１の本体部６１及び第２の本体部７１が設けられる端部とは反対側の端部）が係止爪３７と係止し合うことで、電池ホルダ３０に固定されている。第１のカバー６０及び第２のカバー７０に設けられた突起部６９，７９は、バスバー１２間に入り込むことで、隣り合うバスバー１２の絶縁性を維持している。
【００３４】
図４に示すように、第１のカバー６０及び第２のカバー７０に設けられた第１の仕切板６８及び第２の仕切板７８は、柱部材３５に沿って設けられる。第１の仕切板６８及び第２の仕切板７８は、図示しないシール材を介して蓋部２７に当接している。そして、一対の第１の仕切板６８及び第２の仕切板７８、第１の本体部６１及び第２の本体部７１並びに蓋部２７に囲まれる領域Ａには、開放弁２８が対向して設けられている。したがって、第１の仕切板６８及び第２の仕切板７８が仕切部となる。領域Ａは、角型電池２１の並設方向に延びている。角型電池２１の並設方向両端には、エンドプレート１３，１４が設けられているが、エンドプレート１３と第１のカバー６０との間、あるいは、エンドプレート１４と第２のカバー７０との間には、隙間が生じており、領域Ａが閉塞されていない。
【００３５】
次に、本実施形態の電池モジュール２０の作用について説明する。
電池モジュール２０においては、電池ホルダ３０、伝熱プレート４０及び角型電池２１の製造誤差により、角型電池２１の並設方向の寸法に誤差が生じる場合がある。また、本実施形態の電池モジュール２０のように、エンドプレート１３，１４によって角型電池２１及び伝熱プレート４０を加圧している場合には、角型電池２１及び伝熱プレート４０に一定の荷重を加える。このとき、荷重の加え方によっても電池モジュール２０における角型電池２１の並設方向の寸法に誤差が生じる場合がある。
【００３６】
電池モジュール２０において、角型電池２１の並設方向の寸法に誤差が生じ、実施形態の電池モジュール２０よりも角型電池２１の並設方向の寸法が大きくなった場合、電池カバー５０が単一の部材から構成されていると、一部の角型電池２１の開放弁２８の上方に電池カバー５０が配置できなくなる場合がある。この状態で、角型電池２１の開放弁２８から高温のガス（排出物）が排出されると、鉛直方向上方に配置される電池モジュール２０に高温のガスが当たってしまう。
【００３７】
本実施形態の電池モジュール２０においては、電池モジュール２０における角型電池２１の並設方向の寸法誤差が生じた場合には、第１の薄肉部６５と第２の薄肉部７５の重なり量を少なくする（第１のカバー６０を長手方向第２端部６１ｂ側にスライドする、あるいは、第２のカバー７０を長手方向第２端部７１ｂ側にスライドする）。これにより、電池カバー５０の全長が第１のカバー６０と第２のカバー７０との重なり量によって調整される。
【００３８】
角型電池２１から高温のガスが排出されると、このガスは電池カバー５０によって飛散を抑止されるため、高温のガスが鉛直方向上方に配置される電池モジュール２０に直接当たりにくい。電池カバー５０の全長は、第１のカバー６０と第２のカバー７０の重なり量によって調整されるため、一部の角型電池２１の開放弁２８の上方に電池カバー５０が配置できなくなることが抑止されているため、各角型電池２１の開放弁２８から排出されたガスが電池モジュール２０に当たることを適切に抑止することができる。なお、エンドプレート１３と第１のカバー６０との間の隙間又はエンドプレート１４と第２のカバー７０との間の一方を閉塞することで、ガスが排出される方向を制限することができる。例えば、本実施形態では、エンドプレート１４側には、電池モジュール２０が隣り合っているため、エンドプレート１４と第２のカバー７０との間の隙間を閉塞して、隣り合う電池モジュール２０方向にガスが排出されないようにしてもよい。
【００３９】
また、角型電池２１の開放弁２８から、電解液などの導電性物質が排出された場合でも、電池カバー５０によって排出物の飛散を抑止することができる。
したがって、上記実施形態によれば、以下のような効果を得ることができる。
【００４０】
（１）電池カバー５０は、第１のカバー６０と第２のカバー７０から構成されている。第１のカバー６０には、第１の薄肉部６５が設けられ、第２のカバー７０には第２の薄肉部７５が設けられている。第２のカバー７０の第２の薄肉部７５は、第１のカバー６０の第１の薄肉部６５と重なり合う。そして、電池モジュール２０において、角型電池２１の並設方向の寸法に誤差が生じた場合には、電池モジュール２０の製造時に、第１のカバー６０、あるいは、第２のカバー７０をスライドさせて、第１の薄肉部６５と第２の薄肉部７５との重なり量を調整することで、電池カバー５０の全長を調整することができる。このため、電池カバー５０に隙間が生じにくく、角型電池２１の開放弁２８から排出物が排出されたときに、電池カバー５０の隙間から排出物が漏れだすことが抑止されている。したがって、角型電池２１から排出される排出物の飛散が抑止されている。この結果、角型電池２１の開放弁２８から排出された高温のガスが、鉛直方向上方に配置される電池モジュール２０に直接当たることが抑止され、電池モジュール２０が加熱されることが抑止されている。したがって、電池モジュール２０の各角型電池２１に温度差が生じることや、角型電池２１が過剰に加熱されることによる電池モジュール２０の寿命の低下が生じにくい。
【００４１】
（２）第１のカバー６０には、第１の薄肉部６５が設けられ、第２のカバー７０には第２の薄肉部７５が設けられている。このため、第１の薄肉部６５と第２の薄肉部７５を重ね合わせることで、電池カバー５０の起伏を少なくすることができ、電池カバー５０の組み付け性が向上される。
【００４２】
（３）電池カバー５０は、電池ホルダ３０に固定されている。このため、電池モジュール２０に振動が加わったときででも電池カバー５０が位置ずれしにくく、耐振動性が向上されている。このため、電池モジュール２０の製造後に、振動などによって第１のカバー６０と第２のカバー７０の重なり量がずれることを抑制することができる。また、電池カバー５０が電池モジュール２０から脱落することを抑制することができる。
【００４３】
（４）電池カバー５０は、第１の仕切板６８及び第２の仕切板７８によって領域Ａ（ガス抜き用の流路）を区画している。このため、角型電池２１から気体状の排出物が排出されたときには。この領域Ａを流通して適切に排出される。
【００４４】
（５）第１のカバー６０及び第２のカバー７０に設けられた突起部６９，７９は、隣り合うバスバー１２間に設けられる。このため、隣り合うバスバー１２間の絶縁性が維持され、角型電池２１が短絡しにくい。
【００４５】
（６）電池カバー５０には、制御機器５１が載置されている。これによれば、電池カバー５０上の領域を制御機器５１が設けられるスペースとすることができる。
（７）第１の薄肉部６５には、スリット６５ａが設けられ、第２の薄肉部７５には、スリット６５ａに挿入される板部７５ａが設けられている。したがって、第１のカバー６０と第２のカバー７０の位置決めが容易となる。更に、第１のカバー６０と第２のカバー７０の位置ずれが抑制される。
【００４６】
なお、実施形態は、以下のように変更してもよい。
○  実施形態において、電池カバー５０は、３つ以上のカバーから構成されていてもよい。
【００４７】
○  実施形態において、薄肉部を設けずに、第１のカバー６０（あるいは第２のカバー７０）の第１の本体部６１の短手方向の寸法を、第２のカバー７０（あるいは第１のカバー６０）の第２の延設部７２の対向方向の寸法（内寸）よりも短くして、第１のカバー６０と第２のカバー７０を重ね合わせてもよい。第１のカバー６０は、第２のカバー７０の対向する第２の延設部７２間に入り込むことで、第１のカバー６０と第２のカバー７０が重なり合う。また、第１のカバー６０の第２のカバー７０と対向する縁部に第１の本体部６１の短手方向全体に延び、第１の本体部６１の長手方向に突出する凸部を設けるとともに、第２のカバー７０の第１のカバー６０と対向する縁部に凸部が挿入される凹部を設けてもよい。そして、第１のカバー６０の凸部の挿入量を調整することで、第１のカバー６０と第２のカバー７０の重なり量を調整してもよい。
【００４８】
○  実施形態において、電池カバー５０は、電池ホルダ３０以外に固定されていてもよい。例えば、エンドプレート１３，１４に固定されていてもよい。
○  実施形態において、第１のカバー６０及び第２のカバー７０には、突起部６９，７９が設けられていなくてもよい。この場合、突起部６９，７９以外の方法で、隣り合うバスバー１２の絶縁性を確保することが好ましい。
【００４９】
○  実施形態において、制御機器５１や電子部品５３は、電池カバー５０上以外（例えば、筐体１１の内部や外部）に設けられていてもよい。
○  実施形態において、二次電池としてラミネート型の電池や、円筒形電池を用いてもよい。
【００５０】
○  実施形態において、第１のカバー６０は、第１の本体部６１のみから構成されてもよい。また、第２のカバー７０は、第２の本体部７１のみから構成されてもよい。この場合、第１の本体部６１及び第２の本体部７１を電池モジュール２０に固定することが好ましい。
【００５１】
○  実施形態において、第１の薄肉部６５と第２の薄肉部７５との間にシール部材を設けてもよい。
○  実施形態において、電池モジュール２０を３個積層配置させたが、電池モジュール２０の数は、適宜変更してもよい。また、電池モジュール２０は、単数であってもよい。
【符号の説明】
【００５２】
Ａ…領域、１２…バスバー、２０…電池モジュール、２１…角型電池、２４…電池ケース、２８…開放弁、３０…電池ホルダ、５０…電池カバー、６０…第１のカバー、６５…第１の薄肉部、６９，７９…突起部、７０…第２のカバー、７５…第２の薄肉部。
【図１】
0005590165.tif 000002
【図２】
0005590165.tif 000003
【図３】
0005590165.tif 000004
【図４】
0005590165.tif 000005
【図５】
0005590165.tif 000006
【図６】
0005590165.tif 000007
【図７】
0005590165.tif 000008
【図８】
0005590165.tif 000009